(57)【要約】【課題】  弁体が弁口を閉じる位置から更にレバーが閉弁方向に回転したとき及び弁体が弁口を全開した位置から更にレバーが開弁方向に回転したときにフロートの損傷を防止できるレバーフロート式ドレントラップを提供する。【解決手段】  本体３と蓋体４からなるケーシングで入口１と弁室６と出口２を形成する。弁室６と出口２を連通する第１弁口７と第２弁口８からなる弁口を弁室６の下部に形成する。弁室６内に支持された揺動軸１１の周りに回転するレバー１２に、フロート１３を連結し、弁口を開閉する第１弁体１９及び第２弁体２０からなる弁体を連結する。レバー１２が挿入される短管２１を弁室６内に固定する。弁体が弁口を閉じる位置から更にレバー１２が閉弁方向に回転したときにレバー１２が短管２１の内面下端２２に当接し、弁体が弁口を全開した位置から更にレバー１２が開弁方向に回転したときにレバー１２が短管２１の内面上端２３に当接する。【選択図】      図１
2011226503.tif 000002
【特許請求の範囲】
【請求項１】
ケーシングで入口と弁室と出口を形成し、弁室と出口を連通する弁口を弁室の下部に形成し、弁室内に支持された揺動軸の周りに回転するレバーを設け、弁室内の液位に応じて浮上降下するフロートをレバーに連結すると共に弁口を開閉する弁体をレバーに連結したものにおいて、レバーが挿入される短管を弁室内に固定し、弁体が弁口を閉じる位置から更にレバーが閉弁方向に回転したときにレバーが短管の内面下端に当接し、弁体が弁口を全開した位置から更にレバーが開弁方向に回転したときにレバーが短管の内面上端に当接することを特徴とするレバーフロート式ドレントラップ。
【発明の詳細な説明】
【技術分野】
【０００１】
本発明は、蒸気配管系や圧縮空気配管系やガス配管系に発生するドレンをフロートを用いて自動的に排出するレバーフロート式ドレントラップに関する。
【背景技術】
【０００２】
従来のフロート式ドレントラップは、例えば特許文献１に開示されている。これは、ケーシングで入口と弁室と出口を形成し、弁室と出口を連通する弁口を弁室の下部に形成し、弁室内に支持された揺動軸の周りに回転するレバーを設け、弁室内の液位に応じて浮上降下するフロートをレバーに連結すると共に弁口を開閉する弁体をレバーに連結したものにおいて、弁体が弁口を閉じる位置から更にレバーが閉弁方向に回転したときにレバーが当接するストッパ部材をレバーの下方に設けたものである。
【先行技術文献】
【特許文献】
【０００３】
【特許文献１】特開２００８−２８６２３８
【発明の概要】
【発明が解決しようとする課題】
【０００４】
上記従来のフロート式ドレントラップは、弁体が弁口を閉じる位置から更にレバーが閉弁方向に回転したときにレバーが当接するストッパ部材をレバーの下方に設けたものであるので、フロートが弁室底壁に衝突する前にレバーがストッパ部材に当接することにより、フロートが弁室底壁に衝突することを防止でき、フロートが損傷することを防止できるものである。しかしながら、上記従来のフロート式ドレントラップにおいては、弁体が弁口を全開した位置から更にレバーが開弁方向に回転したときにフロートが弁室頂壁に衝突して損傷する問題点があった。
【０００５】
したがって本発明が解決しようとする課題は、弁体が弁口を閉じる位置から更にレバーが閉弁方向に回転したとき及び弁体が弁口を全開した位置から更にレバーが開弁方向に回転したときにフロートの損傷を防止できるレバーフロート式ドレントラップを提供することである。
【課題を解決するための手段】
【０００６】
上記の課題を解決するために、本発明のレバーフロート式ドレントラップは、ケーシングで入口と弁室と出口を形成し、弁室と出口を連通する弁口を弁室の下部に形成し、弁室内に支持された揺動軸の周りに回転するレバーを設け、弁室内の液位に応じて浮上降下するフロートをレバーに連結すると共に弁口を開閉する弁体をレバーに連結したものにおいて、レバーが挿入される短管を弁室内に固定し、弁体が弁口を閉じる位置から更にレバーが閉弁方向に回転したときにレバーが短管の内面下端に当接し、弁体が弁口を全開した位置から更にレバーが開弁方向に回転したときにレバーが短管の内面上端に当接することを特徴とするものである。
【発明の効果】
【０００７】
本発明によれば、レバーが挿入される短管を弁室内に固定し、弁体が弁口を閉じる位置から更にレバーが閉弁方向に回転したときにレバーが短管の内面下端に当接し、弁体が弁口を全開した位置から更にレバーが開弁方向に回転したときにレバーが短管の内面上端に当接するものであるので、フロートが弁室底壁に衝突する前にレバーが短管の内面下端に当接することにより、フロートが弁室底壁に衝突することを防止でき、フロートが弁室頂壁に衝突する前にレバーが短管の内面上端に当接することにより、フロートが弁室頂壁に衝突することを防止でき、フロートが損傷することを防止できるという効果を奏する。
【図面の簡単な説明】
【０００８】
【図１】本発明の実施の形態に係わるレバーフロート式ドレントラップの断面図である。
【発明を実施するための形態】
【０００９】
以下、本発明の実施の形態について、図１を参照して説明する。レバーフロート式ドレントラップは、入口１と出口２を有する本体３に蓋体４をボルト５で締結して内部に弁室６を有するケーシングを構成する。弁室６と出口２を連通する第１弁口７及び第２弁口８を有する弁座９を弁室６の下部の本体３に図示しないねじにより取り付ける。入口１は弁室６の下部に開口し、出口２は第１弁口７及び第２弁口８を介して弁室６の下部に開口する。
【００１０】
弁座９に図示しないねじにより取り付けた支持部材１０に揺動軸１１を支持し、揺動軸１１にレバー１２を回転可能に連結する。レバー１２の左端部に弁室６内の液位に応じて浮上降下する中空球形のフロート１３を連結する。レバー１２の揺動軸１１の右側に揺動軸１０と平行な連結軸１４を支持し、連結軸１４に連結棒１５の上部を回転可能に連結する。連結棒１５の下部は弁体１６の弁棒１７の上端部に支持された揺動軸１１と平行な弁軸１８に回転可能に連結する。弁体１６は第１弁口７を下方の出口２側から開閉する第１弁体１９と、第２弁口８を下方の弁室６側から開閉する第２弁体２０と、第１弁体１９と第２弁体２０を連結する弁棒１７とから構成する。
【００１１】
レバー１２が挿入される短管２１を支持部材１０に溶接することにより弁室６内に固定する。第１弁体１９及び第２弁体２０が第１弁口７及び第２弁口８を閉じる位置から更にレバー１２が閉弁方向に回転したときにレバー１２が短管２１のフロート１３側端の内面下端２２に当接し、第１弁体１９及び第２弁体２０が第１弁口７及び第２弁口８を全開した位置から更にレバー１２が開弁方向に回転したときにレバー１２が短管２１のフロート１３側端の内面上端２３に当接する。
【００１２】
上記のレバーフロート式ドレントラップの動作は次の通りである。弁室６内の液位が低い場合は、フロート１３は降下し、第１弁体１９及び第２弁体２０が弁座９に着座して第１弁口７及び第２弁口８を閉じている。このとき、レバー１２は短管２１に当接していない。配管系でウォータハンマ等が発生し弁室６内の圧力や液位が急激に変動してレバー１２が更に閉弁方向に回転すると、フロート１３が弁室６の底壁に当接する前にレバー１２が短管２１の内面下端２２に当接することにより、フロート１３が弁室底壁に衝突することを防止する。入口１から流入するドレンによって弁室６内の液位が上昇すると、フロート１３が上動してレバー１２が揺動軸１１を中心に時計回り方向に回転する。このレバー１２の回転により、連結棒１５を介して弁体１６が下動して第１弁体１９及び第２弁体２０が弁座９から離座して第１弁口７及び第２弁口８を開く。これにより、弁室６のドレンを出口２から排出する。第１弁体１９及び第２弁体２０が第１弁口７及び第２弁口８を全開した位置において、レバー１２は短管２１に当接していない。配管系でウォータハンマ等が発生し弁室６内の圧力や液位が急激に変動してレバー１２が更に開弁方向に回転すると、フロート１３が弁室６の頂壁に当接する前にレバー１２が短管２１の内面上端２３に当接することにより、フロート１３が弁室頂壁に衝突することを防止する。
【００１３】
ドレンの排出により弁室６内の液位が低下すると、フロート１３が下動してレバー１２が揺動軸１１を中心に反時計回り方向に回転する。このレバー１２の回転により、連結棒１５を介して弁体１６が上動して第１弁体１９及び第２弁体２０が弁座９に着座して第１弁口７及び第２弁口８を閉じる。これにより、気体の漏出を防止する。
【産業上の利用可能性】
【００１４】
本発明は、蒸気配管系や圧縮空気配管系やガス配管系に発生するドレンをフロートを用いて自動的に排出するレバーフロート式ドレントラップに利用することができる。
【符号の説明】
【００１５】
１  入口
２  出口
３  本体
４  蓋体
６  弁室
７  第１弁口
８  第２弁口
９  弁座
１０  支持部材軸
１１  揺動軸
１２  レバー
１３  フロート
１６  弁体
１７  弁棒
１９  第１弁体
２０  第２弁体
２１  短管
２２  短管の内面下端
２３  短管の内面上端
【図１】
2011226503.tif 000003